(57)【特許請求の範囲】
【請求項１】
物体側から順に、
少なくとも１枚の非球面を有し、像側に凹面を向けた負の第１レンズと、
絞りと、
物体側に凸面を向けた正の第２レンズと、
物体側に凹面を向けた負の第３レンズと、
像側のレンズ面が、近軸領域において像側に凸で、かつ、周辺に行くほど正の屈折力が弱くなるような非球面形状である第４レンズと
を備え、
かつ、以下の条件式（１）〜（３）を満足するように構成されている
ことを特徴とする単焦点レンズ。
│Ｒ１／Ｒ２│＞２  ……（１）
Ｄ５／Ｙｍａｘ＞０．０５  ……（２）
０．１＞Ｄ２／ｆ  ……（３）
ただし、
Ｒ１：第１レンズの物体側のレンズ面の近軸曲率半径
Ｒ２：第１レンズの像側のレンズ面の近軸曲率半径
Ｄ２:第１レンズの像側のレンズ面から絞りまでの距離
Ｄ５:第２レンズの像側のレンズ面と第３レンズの物体側のレンズ面との間隔
Ｙｍａｘ:最大像高
ｆ：全体の焦点距離
【請求項２】
前記第１レンズにおいて、少なくとも、像側の面が非球面である
ことを特徴とする請求項１記載の単焦点レンズ。
【発明の詳細な説明】
【０００１】
【発明の属する技術分野】
本発明は、撮影用の単焦点レンズに関し、特に、デジタルスチルカメラ（以下、単にデジタルカメラという。）への搭載に好適な単焦点レンズに関する。
【０００２】
【従来の技術】
近年、パーソナルコンピュータの一般家庭等への普及に伴い、撮影した風景や人物像等の画像情報をパーソナルコンピュータに入力することができるデジタルカメラが急速に普及しつつある。
【０００３】
デジタルカメラは、ＣＣＤ（電荷結合素子）などの撮像素子を用いて光学的な画像を電気信号に変換し、それをデジタル画像データとして記録するものである。このようなデジタルカメラ用の撮影レンズとしては、従来、例えば特開平５-１５７９６２号公報および特開平１１−１２５７６７号公報等に記載されたものがある。
【０００４】
【発明が解決しようとする課題】
ところで、デジタルカメラは、一般に、高画質、高解像度で構成がコンパクトであることが要求される。従って、それに搭載される撮影レンズについても、コンパクトで高画質に耐え得る性能が要求される。デジタルカメラにおいて、高解像度の画像を得るためには、ＣＣＤの全体サイズを大きくし、高画素数にすればよい。しかしながら、ＣＣＤの全体サイズを大きくすると、それに伴い、レンズ系も拡大されるので、従来のレンズ構成を採用したのではコンパクト性が失われてしまう。また、デジタルカメラにおいては、ＣＣＤの特性上、光線が撮像面に垂直に近い状態で入射することが望ましい。従って、デジタルカメラに搭載される撮影レンズでは、テレセントリック性が確保されていることが望ましい。
【０００５】
上述の特開平５-１５７９６２号公報および特開平１１−１２５７６７号公報記載のレンズは、特に、高解像度が要求されるデジタルカメラに搭載するものとしては、その構成の簡易さ、コンパクト性およびコストの点において十分な性能を有していない。
【０００６】
本発明はかかる問題点に鑑みてなされたもので、その目的は、簡易な構成でありながら、特にコンパクトで高解像度のデジタルカメラに適した良好な性能を得ることができる単焦点レンズを提供することにある。
【００１０】
本発明の単焦点レンズは、物体側から順に、少なくとも１枚の非球面を有し、像側に凹面を向けた負の第１レンズと、絞りと、物体側に凸面を向けた正の第２レンズと、物体側に凹面を向けた負の第３レンズと、像側のレンズ面が、近軸領域において像側に凸で、かつ、周辺に行くほど正の屈折力が弱くなるような非球面形状である第４レンズとを備え、かつ、以下の条件式（１）〜（３）を満足するように構成されている。第１レンズは、少なくとも、像側のレンズ面が非球面であることが望ましい。
【００１１】
│Ｒ１／Ｒ２│＞２  ……（１）
Ｄ５／Ｙｍａｘ＞０．０５  ……（２）
０．１＞Ｄ２／ｆ  ……（３）
ただし、Ｒ１は、第１レンズの物体側のレンズ面の近軸曲率半径を示し、Ｒ２は、第１レンズの像側のレンズ面の近軸曲率半径を示し、Ｄ２は、第１レンズの像側のレンズ面から絞りまでの距離を示し、Ｄ５は、第２レンズの像側のレンズ面と第３レンズの物体側のレンズ面との間隔を示し、Ｙｍａｘは、最大像高を示し、ｆは、全体の焦点距離を示す。
【００１２】
本発明の単焦点レンズでは、以上のような構成にすることにより、簡易な構成でありながら、諸収差が良好に補正され、コンパクトで高解像度のデジタルカメラに適した良好な性能が得られる。特に、第４レンズの像側のレンズ面が非球面形状であることにより、像面湾曲と歪曲収差とが良好に補正される。また、条件式（１），（２）を満足することにより、諸収差が良好に補正される。
【００１３】
また特に、第１レンズの像側のレンズ面を非球面にすることにより、像面湾曲が良好に補正される。また特に、条件式（３）を満足することにより、絞り位置を像面から離した位置に設定し易くなり、射出瞳距離を長く保つことができ、テレセントリック性の確保が容易になる。
【００１４】
【発明の実施の形態】
以下、本発明の実施の形態について図面を参照して詳細に説明する。
【００１５】
＜第１の実施の形態＞
図１は、本発明の一実施の形態に係る単焦点レンズの構成例を示している。また、図２は、本実施の形態に係る単焦点レンズの他の構成例を示している。図１および図２に示した構成例は、それぞれ、後述の第１および第２の参考例１−１，１−２（図３、図４）のレンズ構成に対応している。なお、図１および図２において、符号Ｒｉは、絞りＳｔも含めて最も物体側の構成要素の面を１番目として、像側（結像側）に向かうに従い順次増加するｉ番目（ｉ＝１〜１１）の構成要素の面の曲率半径を示す。符号Ｄｉは、ｉ番目の面とｉ＋１番目の面との光軸上の面間隔を示す。なお、この第１の実施の形態は、本願の特許請求の範囲に記載の発明には属さない実施の形態である。
【００１６】
図１および図２に示した本実施の形態に係る単焦点レンズ１Ａ，１Ｂ（以下、１Ａ，１Ｂを総称して１と記す。）は、特にコンパクトなデジタルカメラに搭載して好適なものである。
【００１７】
この単焦点レンズ１は、光軸Ｚ１に沿って、物体側より順に、第１レンズＧ１〜第４レンズＧ４を備えている。第１レンズＧ１と第２レンズ群Ｇ２との間には、開口絞りＳｔが設けられている。この単焦点レンズ１の結像面（撮像面）には、図示しないＣＣＤなどの撮像素子が配置される。ＣＣＤの撮像面付近には、撮像面を保護するためのカバーガラスＣＧが配置されている。
【００１８】
第１レンズＧ１は、像側に凹面を向けた負のレンズとなっている。この第１レンズＧ１は、例えば負のメニスカス形状で構成される。一方、第２レンズＧ２は、物体側に凸面を向けた正のレンズとなっている。この第２レンズＧ２は、例えば両凸形状で構成されている。
【００１９】
第３レンズＧ３は、物体側に凹面を向けた負のレンズとなっている。この第３レンズＧ３は、例えば両凹形状で構成されている。一方、第４レンズＧ４は、像側のレンズ面が、近軸領域において像側に凸で、かつ、周辺に行くほど正の屈折力が弱くなるような非球面形状となっている。この第４レンズＧ４は、例えば、近軸領域において両凸形状で構成されている。この第４レンズＧ４は、収差補正上、両面が非球面形状である方が望ましい。
【００２０】
この単焦点レンズ１は、以下の条件式（１），（２）を満足するように構成されている。条件式（１），（２）において、Ｒ１は、第１レンズＧ１の物体側のレンズ面の近軸曲率半径を示し、Ｒ２は、第１レンズＧ１の像側のレンズ面の近軸曲率半径を示し、Ｄ５は、第２レンズＧ２の像側のレンズ面と第３レンズＧ３の物体側のレンズ面との間隔を示し、Ｙｍａｘは、最大像高を示す。
【００２１】
│Ｒ１／Ｒ２│＞２  ……（１）
Ｄ５／Ｙｍａｘ＞０．０５  ……（２）
【００２２】
なお、この単焦点レンズ１は、後述の第２の実施の形態に係る単焦点レンズ２と比較して、非球面を用いたレンズが１枚（第４レンズＧ４）のみとなっており、また、絞りＳｔの位置が比較的第２レンズＧ２に近い位置に設定されている。非球面を用いたレンズが１枚のみであるから、低コストでの実施に適している。また、この単焦点レンズ１は、Ｆナンバーを小さくしたい場合に適した構成となっている。
【００２３】
次に、以上のような構成の単焦点レンズ１によってもたらされる光学的な作用および効果について説明する。
【００２４】
この単焦点レンズ１では、第１レンズＧ１〜第４レンズＧ４を上述のように構成することにより、従来のレンズ構成と比較して、構成長（沈胴長）、すなわち最も物体側の屈折面（第１レンズＧ１の物体側の面）から最も像側の屈折面（第４レンズＧ４の像側の面）までの距離を短縮することができる。これにより、沈胴時の光学系のコンパクト化が図られ、例えばデジタルカメラに搭載した場合において、単焦点レンズ１を含めた光学装置をコンパクトにすることができる。
【００２５】
この単焦点レンズ１では、特に、第４レンズＧ４の像側のレンズ面が非球面形状であることにより、像面湾曲と歪曲収差とが良好に補正される。
【００２６】
また、条件式（１），（２）を満足することにより、諸収差が良好に補正される。特に、条件式（１）を満足することにより、像面湾曲と歪曲収差とを良好に補正することができる。また特に、条件式（２）を満足することにより、非点収差と歪曲収差とを良好に補正することができる。
【００２７】
このように、本実施の形態に係る単焦点レンズ１によれば、４枚のレンズ構成という簡易な構成でありながら、諸収差が良好に補正され、特にコンパクトで高解像度のデジタルカメラに最適な性能を得ることができる。
【００２８】
＜第２の実施の形態＞
次に、本発明の第２の実施の形態について説明する。
【００２９】
図８は、本発明の一実施の形態に係る単焦点レンズの構成例を示している。また、図９は、本実施の形態に係る単焦点レンズの他の構成例を示している。図８および図９に示した構成例は、それぞれ、後述の第１および第２の実施例２−１，２−２（図１０、図１１）のレンズ構成に対応している。図８および図９では、上記第１の実施の形態の単焦点レンズ１（図１、図２）の構成要素に対応する部分には、同一の符号を付している。
【００３０】
図８および図９に示した本実施の形態に係る単焦点レンズ２Ａ，２Ｂ（以下、２Ａ，２Ｂを総称して２と記す。）は、上記第１の実施の形態の単焦点レンズ１と同様、特にコンパクトなデジタルカメラに搭載して好適なものである。
【００３１】
この単焦点レンズ１は、上記第１の実施の形態の単焦点レンズ１と同様、光軸Ｚ１に沿って、物体側より順に、第１レンズＧ１〜第４レンズＧ４を備えている。第１レンズＧ１と第２レンズ群Ｇ２との間には、開口絞りＳｔが設けられている。この単焦点レンズ１の結像面（撮像面）には、図示しないＣＣＤなどの撮像素子が配置される。ＣＣＤの撮像面付近には、撮像面を保護するためのカバーガラスＣＧが配置されている。
【００３２】
本実施の形態の単焦点レンズ２において、その形状が第１の実施の形態の単焦点レンズ１と異なるのは、特に、第１レンズＧ１の部分である。すなわち、この単焦点レンズ２では、第１レンズＧ１が、少なくとも１枚の非球面を有して構成されている。第１レンズＧ１は、少なくとも、像側のレンズ面が非球面であることが望ましい。また、第１レンズＧ１は、第１の実施の形態の単焦点レンズ１と比較して、比較的レンズ厚が薄い構成となっている。
【００３３】
また、この単焦点レンズ２は、第１の実施の形態に係る単焦点レンズ１と比較して、絞りＳｔの位置が比較的第１レンズＧ１に近い位置に設定されている。また、この単焦点レンズ２は、以下の条件式（１）〜（３）を満足するように構成されている。条件式（１），（２）は、第１の実施の形態に係る単焦点レンズ１が満たす条件と同じである。条件式（３）において、Ｄ２は、第１レンズＧ１の像側のレンズ面から絞りＳｔまでの距離を示し、ｆは、全体の焦点距離を示す。
【００３４】
│Ｒ１／Ｒ２│＞２  ……（１）
Ｄ５／Ｙｍａｘ＞０．０５  ……（２）
０．１＞Ｄ２／ｆ  ……（３）
【００３５】
この単焦点レンズ２では、特に、第１レンズＧ１の像側のレンズ面を非球面にすることにより、像面湾曲が良好に補正される。また特に、条件式（３）を満足することにより、絞り位置Ｓｔを像面から離した位置に設定し易くなり、射出瞳距離を長く保つことができる。これにより、特にデジタルカメラに搭載した場合において、その撮像素子の特性に合わせて、テレセントリック性を保ち易くなる。すなわち。光線を撮像面に垂直に近い状態で入射させやすくなり、特にデジタルカメラに好適な性能を得ることができる。
【００３６】
また、この単焦点レンズ２では、非球面をより多く採用し、第１レンズＧ１のレンズ厚を比較的薄い構成にしていることにより、第１の実施の形態に係る単焦点レンズ１と比較して、構成長をさらに短縮することができる。これにより、沈胴時の光学系のさらなるコンパクト化が図られ、例えばデジタルカメラに搭載した場合において、単焦点レンズ２を含めた光学装置をきわめてコンパクトにすることができる。
【００３７】
このように、本実施の形態に係る単焦点レンズ２によれば、簡易な構成でありながら、諸収差が良好に補正され、特にコンパクトで高解像度のデジタルカメラに最適な性能を得ることができる。
【００３８】
【実施例】
次に、本実施の形態に係る単焦点レンズの具体的な数値実施例について説明する。
【００３９】
［参考例１−１，１−２］
まず、参考例として、第１の実施の形態についての数値実施例を説明する。以下では、第１および第２の数値実施例（参考例１−１，１−２）をまとめて説明する。図３（Ａ），（Ｂ）は、図１に示した単焦点レンズ１Ａの構成に対応する具体的なレンズデータを示し、図４（Ａ），（Ｂ）は、図２に示した単焦点レンズ１Ｂの構成に対応する具体的なレンズデータを示している。図３（Ａ）および図４（Ａ）はそれぞれ、参考例１−１，１−２のレンズデータのうち基本的なデータ部分を示し、図３（Ｂ）および図４（Ｂ）はそれぞれ、非球面形状に関するデータを示す。
【００４０】
図３（Ａ）および図４（Ａ）に示したレンズデータにおける面番号Ｓｉの欄には、各参考例の単焦点レンズについて、絞りＳｔも含めて、最も物体側の構成要素の面を１番目として、像側に向かうに従い順次増加する構成要素の面の番号を示している。曲率半径Ｒｉの欄には、図１および図２に示した符号Ｒｉに対応させて、物体側からｉ番目の構成要素の面の曲率半径の値を示す。面間隔Ｄｉの欄についても、図１および図２に示した符号に対応させて、物体側からｉ番目の面Ｓｉとｉ＋１番目の面Ｓｉ＋１との光軸上の間隔を示す。曲率半径Ｒｉおよび面間隔Ｄｉの値の単位はミリメートル（ｍｍ）である。Ｎdj，νdjの欄には、それぞれ、カバーガラスＣＧも含めて、物体側からj番目（j＝１〜５）のレンズ要素のｄ線（波長５８７．６ｎｍ）に対する屈折率およびアッベ数の値を示す。図３（Ａ）および図４（Ａ）には、全系の焦点距離ｆ（ｍｍ）、画角２ω（°）、Ｆナンバー（ＦＮＯ．）の値も同時に示す。
【００４１】
図３（Ａ），図４（Ａ）において、面番号の左側に付された記号「＊」は、そのレンズ面が非球面であることを示す。参考例１−１，１−２では、第４レンズＧ４の両面（第８面、第９面）が非球面形状となっている。図３（Ａ），図４（Ａ）では、これらの非球面の曲率半径として、光軸近傍（近軸領域）の曲率半径の数値を示している。
【００４２】
図３（Ｂ），図４（Ｂ）に示した非球面データは、以下の式（Ａ）によって表される非球面多項式における定数または係数である。式（Ａ）の非球面多項式は、光軸Ｚ１に直交する方向にＹ軸をとって非球面の形状を表したものである。非球面は、式（Ａ）で表される曲線を光軸Ｚ１の周りに回転して得られる曲面である。Ｙは、光軸Ｚ１からレンズ面までの距離（高さ）に相当する。Ｚの値は、光軸Ｚ１から高さＹの位置にある非球面上の点から、非球面の頂点の接平面（光軸に垂直な平面）に下ろした垂線の長さ、すなわち非球面の深さを示す。Ｃは、光軸近傍におけるレンズ面の近軸曲率半径Ｒの逆数（１／Ｒ）である。また、ＫＡは、離心率（または円錐定数）を表し、Ａ4，Ａ6，Ａ8，Ａ10は、それぞれ４次，６次，８次，１０次の非球面係数を表す。なお、非球面係数を表す数値において、記号“Ｅ”は、その次に続く数値が１０を底とした“べき指数”であることを示し、その１０を底とした指数関数で表される数値が“Ｅ”の前の数値に乗算されることを示す。例えば、「１．０Ｅ−０２」であれば、「１．０×１０-2」であることを示す。
【００４３】
Ｚ＝［ＣＹ2／｛１＋（１−ＫＡ・Ｃ2・Ｙ2）1/2｝］
＋Ａ4Ｙ4＋Ａ6Ｙ6＋Ａ8Ｙ8＋Ａ10Ｙ10  ……（Ａ）
ただし、
Ｚ：非球面の深さ（ｍｍ）
Ｙ：高さ（ｍｍ）
ＫＡ：離心率
Ｃ＝１／Ｒ：近軸曲率
（Ｒ：近軸曲率半径）
【００４４】
図５は、上述の条件式（１），（２）に対応する値、すなわち、式「│Ｒ１／Ｒ２│」，「Ｄ５／Ｙｍａｘ」の値を、各参考例について示したものである。図５に示したように、各参考例の値が、条件式（１），（２）の範囲内となっている。
【００４５】
図６（Ａ）〜（Ｄ）および図７（Ａ）〜（Ｄ）は、各参考例の単焦点レンズについての諸収差を示している。具体的には、図６（Ａ），図７（Ａ）は、各参考例についての球面収差を示し、図６（Ｂ），図７（Ｂ）は、各参考例についての非点収差を示す。また、図６（Ｃ），図７（Ｃ）は、各参考例についてのディストーション（歪曲収差）を示し、図６（Ｄ），図７（Ｄ）は、各参考例についての倍率色収差を示している。非点収差を示す図６（Ｂ），図７（Ｂ）において、実線はサジタル像面に対する収差を示し、破線はタンジェンシャル（メリジオナル）像面に対する収差を示している。球面収差は、ｄ線（波長５８７．６ｎｍ），Ｆ線（波長４８６．１ｎｍ），Ｃ線（波長６５６．３ｎｍ）についての値を示す。各収差図において、特に波長を明記していないものは、ｄ線に対する収差を示す。各収差図において、ＦＮＯ．は、Ｆナンバーを、ωは半画角を示す。
【００４６】
以上のレンズデータおよび収差図からわかるように、第１の実施の形態についての各参考例について、諸収差が良好に補正され、特にコンパクトで高解像度のデジタルカメラに最適な性能が得られている。
【００４７】
［実施例２−１，２−２］
次に、第２の実施の形態についての実施例を説明する。以下では、第１および第２の数値実施例（実施例２−１，２−２）をまとめて説明する。図１０（Ａ），（Ｂ）は、図８に示した単焦点レンズ２Ａの構成に対応する具体的なレンズデータを示し、図１１（Ａ），（Ｂ）は、図９に示した単焦点レンズ２Ｂの構成に対応する具体的なレンズデータを示している。図１０（Ａ）および図１１（Ａ）はそれぞれ、実施例２−１，２−２のレンズデータのうち基本的なデータ部分を示し、図１０（Ｂ）および図１１（Ｂ）はそれぞれ、非球面形状に関するデータを示す。これらのレンズデータの示す意味は、上記参考例１−１，１−２（図３（Ａ），（Ｂ），図４（Ａ），（Ｂ））と同様である。
【００４８】
本実施例２−１，２−２においては、第１レンズＧ１の両面（第１面、第２面）と、第４レンズＧ４の像側の面（第９面）とが非球面形状となっている。
【００４９】
図１２は、上述の条件式（１）〜（３）に対応する値、すなわち、式「│Ｒ１／Ｒ２│」，「Ｄ５／Ｙｍａｘ」，「Ｄ２／ｆ」の値を、各実施例について示したものである。図１２に示したように、各実施例の値が、条件式（１）〜（３）の範囲内となっている。
【００５０】
図１３（Ａ）〜（Ｄ）および図１４（Ａ）〜（Ｄ）は、各実施例の単焦点レンズについての諸収差を示している。具体的には、図１３（Ａ），図１４（Ａ）は、各実施例についての球面収差を示し、図１３（Ｂ），図１４（Ｂ）は、各実施例についての非点収差を示す。また、図１３（Ｃ），図１４（Ｃ）は、各実施例についてのディストーション（歪曲収差）を示し、図１３（Ｄ），図１４（Ｄ）は、各実施例についての倍率色収差を示している。各収差図に付した符号の意味等は、上記参考例１−１，１−２についての各収差図と同様である。
【００５１】
以上のレンズデータおよび収差図からわかるように、第２の実施の形態についての各実施例について、諸収差が良好に補正され、特にコンパクトで高解像度のデジタルカメラに最適な性能が得られている。
【００５２】
なお、本発明は、上記各実施の形態および各実施例に限定されず種々の変形実施が可能である。例えば、各レンズ成分の曲率半径Ｒ、面間隔Ｄおよび屈折率Ｎおよびアッベ数νの値などは、上記各数値実施例で示した値に限定されず、他の値をとり得る。
【００５４】
以上説明したように、請求項１または２に記載の単焦点レンズによれば、物体側から順に、少なくとも１枚の非球面を有し、像側に凹面を向けた負の第１レンズと、絞りと、物体側に凸面を向けた正の第２レンズと、物体側に凹面を向けた負の第３レンズと、像側のレンズ面が、近軸領域において像側に凸で、かつ、周辺に行くほど正の屈折力が弱くなるような非球面形状である第４レンズとを備え、かつ、以下の条件式（１）〜（３）を満足するように構成したので、簡易な構成でありながら、コンパクトで高解像度のデジタルカメラに適した良好な性能を得ることができる。特に、第４レンズの像側のレンズ面が非球面形状であることにより、像面湾曲と歪曲収差とを良好に補正することができる。また、条件式（１），（２）を満足することにより、諸収差を良好に補正することができる。
【００５５】
特に、第１レンズの像側のレンズ面を非球面にした場合に、像面湾曲を良好に補正することができる。また特に、条件式（３）を満足することにより、絞り位置を像面から離した位置に設定し易くなり、射出瞳距離を長く保つことができる。これにより、特にデジタルカメラに搭載した場合において、その撮像素子の特性に合わせて、テレセントリック性を保ち易くなる。
【図面の簡単な説明】
【図１】  第１の実施の形態に係る単焦点レンズの構成例を示すものであり、参考例１−１に対応するレンズ断面図である。
【図２】  第１の実施の形態に係る単焦点レンズの他の構成例を示すものであり、参考例１−２に対応するレンズ断面図である。
【図３】  第１の実施の形態に係る単焦点レンズの第１の参考例１−１についての基本レンズデータ（Ａ）と非球面データ（Ｂ）とを示す説明図である。
【図４】  第１の実施の形態に係る単焦点レンズの第２の参考例１−２についての基本レンズデータ（Ａ）と非球面データ（Ｂ）とを示す説明図である。
【図５】  参考例１−１，１−２に係る単焦点レンズが満たす条件値のデータを示す説明図である。
【図６】  参考例１−１の単焦点レンズについての球面収差、非点収差、ディストーション、および倍率色収差を示す収差図である。
【図７】  参考例１−２の単焦点レンズについての球面収差、非点収差、ディストーション、および倍率色収差を示す収差図である。
【図８】  本発明の第２の実施の形態に係る単焦点レンズの構成例を示すものであり、実施例２−１に対応するレンズ断面図である。
【図９】  本発明の第２の実施の形態に係る単焦点レンズの他の構成例を示すものであり、実施例２−２に対応するレンズ断面図である。
【図１０】  本発明の第２の実施の形態に係る単焦点レンズの第１の実施例２−１についての基本レンズデータ（Ａ）と非球面データ（Ｂ）とを示す説明図である。
【図１１】  本発明の第２の実施の形態に係る単焦点レンズの第２の実施例２−２についての基本レンズデータ（Ａ）と非球面データ（Ｂ）とを示す説明図である。
【図１２】  実施例２−１，２−２に係る単焦点レンズが満たす条件値のデータを示す説明図である。
【図１３】  実施例２−１の単焦点レンズについての球面収差、非点収差、ディストーション、および倍率色収差を示す収差図である。
【図１４】  実施例２−２の単焦点レンズについての球面収差、非点収差、ディストーション、および倍率色収差を示す収差図である。
【符号の説明】
ＣＧ…カバーガラス、Ｇ１〜Ｇ４…第１〜第４レンズ、Ｓｔ…絞り、Ｚ１…光軸、１（１Ａ，１Ｂ），２（２Ａ，２Ｂ）…単焦点レンズ。
【図１】
0004283554.tif 000002
【図２】
0004283554.tif 000003
【図３】
0004283554.tif 000004
【図４】
0004283554.tif 000005
【図５】
0004283554.tif 000006
【図６】
0004283554.tif 000007
【図７】
0004283554.tif 000008
【図８】
0004283554.tif 000009
【図９】
0004283554.tif 000010
【図１０】
0004283554.tif 000011
【図１１】
0004283554.tif 000012
【図１２】
0004283554.tif 000013
【図１３】
0004283554.tif 000014
【図１４】
0004283554.tif 000015